(57)【特許請求の範囲】
【請求項１】
建物の屋上に収納庫を設置する収納構造であって、前記収納庫は、前記屋上の床に立設される壁部材に沿って配置されるとともに、この壁部材は、ほぼ並行状態で複数配置されるとともに、これらの複数の壁部材は、それぞれ複数の梁部材で連結されており、前記壁部材及び前記梁部材には給水設備に連結された給水管と、この給水管に取り付けられる散水口とが設けられていることを特徴とする収納構造。
【請求項２】
前記建物の屋上の床にはヒータユニットが埋設されていることを特徴とする請求項１記載の収納構造。
【発明の詳細な説明】
【技術分野】
【０００１】    本発明は、ビルなどの建物の屋上に収納庫を設置する収納構造に関するものである。
【背景技術】
【０００２】    従来は、ビルなどの建物の屋上、例えば３階建て、５階建てのような中層建築から１０階を超えるような高層建築の屋上を有効的に使用できるように収納庫を設置することが考えられる。なお、ビルなどの屋上に関する先行技術としては特許文献１が知られている。
【先行技術文献】
【特許文献】
【０００３】
【特許文献１】特開２００１−０２７０１７
【発明の概要】
【発明が解決しようとする課題】
【０００４】    生活必需品以外で、日常、必要でない日用品などの荷物については、収納する場所に困っていた。この問題を解決するために近年では有料のトランクルームなどが出回ってきている。しかしながら、有料のトランクルームでは費用も掛かるので、費用の掛からない収納先を確保する必要がある。
【課題を解決するための手段】
【０００５】    本発明は、上記した問題を解決するために、建物の屋上に収納庫を設置する収納構造であって、前記収納庫は、前記屋上の床に立設される壁部材に沿って配置されるとともに、この壁部材は、ほぼ並行状態で複数配置されるとともに、これらの複数の壁部材は、それぞれ複数の梁部材で連結されており、前記壁部材及び前記梁部材には給水設備に連結された給水管と、この給水管に取り付け散水口とが設けことを特徴とする。
【発明の効果】
【０００６】    本発明によれば、ビルなどの建物の屋上のデッドスペースを有効に活用することが可能となり、設置する収納庫については壁部材で囲まれるように配置することができ、強風によって倒壊するおそれがなく、また散水口から水を散布することが可能なので収納庫の温度上昇を防ぐことが可能となる。【０００７】    また、上記した散水口から水を散布することで春先などにおいては少し積もった雪などを融雪させることが可能となる効果がある。【０００８】    さらに、屋上の床にはヒータユニットを設置しているので、冬場においては床に積もった雪を早期に融かすことが可能となる効果がある。
【図面の簡単な説明】
【０００９】
【図１】本発明の実施例を示すビルの屋上平面図。
【図２】本発明の要部を示す一部断面の斜視図。
【図３】本発明の収納庫の設置の仕方を説明した斜視図。収納庫とコンクリートブロックの図面
【発明を実施するための形態】
【実施例】
【００１０】    本発明のビル屋上の収納構造について図面に基づいて説明する。本発明の収納構造は、ビルなどの屋上の床４に立設された複数の壁部材１と、この壁部材１に沿って配置される収納庫６とで構成されている。【００１１】    この壁部材１は、コンクリート材で成形されると共に、床４に四角状となるように立設されており、この四角状の壁部材１の中には互いに並行となるように複数の壁部材１がさらに立設されている。そして、この壁部材１、１はその上部が梁部材２でそれぞれ連結されており、これら梁部材２もコンクリート材で構成されている。【００１２】    前記した壁部材１の壁面１０１の上部と、梁部材２の側面には、例えばポンプなどの給水設備（図示せず）に一端が連結された給水管３が留具（図示せず）などを介して取付けられている。そして、この給水管３の途中には散水口５が複数個所に取り付けられている（図２参照）。【００１３】    また、この散水口５は、床４、梁部材２、壁部材１に向けて散水できるようにそれぞれの方向に向けられており、この散水口５から水がシャワー状に散水されるようになっている。なお、前記した散水口５は、床４の下側に配設した給水管３を介して床４に取付けてもよいものである。この床４に設置した散水口５は、収納庫６の前側に設置するのが良い（図２参照）。【００１４】    一方、収納庫６は、図３に示すように、床４に設置した、例えばコンクリート材で成形した２つのブロック材８，８にボルト９、ナット１０によって固定されている。このように収納庫６の下側に隙間を形成することで通気性が確保できて収納庫の腐食などを抑えることが可能となる。【００１５】    前記した床４は、上面がモルタルの第１保護層２０６とされ、その下側にモルタルの第２保護層２０４、さらにその下側に防水層２０３、最後にスラブ層２０２とされた構成されている。そして、第１保護層２０６の内部には複数のヒーターユニットの配管２０５が設けられている。この実施例ではボイラー（図示せず）で沸かされた温水を配管２０５内に循環させるように構成されているが、ヒーティング機能を備えるものであれば、熱戦など種々の構成が考えられるものである。【００１６】    前記した実施例では、寒冷地におけるビルなどの建物の床４の構成で説明したが、温暖な地域のビルなどの建物の床４は、第１保護層２０６を無くして、スラブ層２０２、防水層２０３と、第２保護層２０４とで構成しても良いものである。【００１７】    前記した構成によれば、夏場などの外気温が高い状態では、給水設備から水を供給することで、給水管３を通って給水口５から冷たい水が壁部材１、梁部材２床４に放水されるようになり、温度上昇が抑えられて収納庫６内に収納した荷物が傷むのを防ぐ事ができる。なお、散水口７を通って下水路に排出されるようになっている。【００１８】    積雪があるような寒冷地においては、床４の第１保護層２０６の内部に設けたヒータユニットである配管２０５内にボイラーで沸かした温水を循環させることで床４に積もった雪を融かすことができる。また、春先などの雪が少し積もった状態などでは、散水口５から水を放水することで雪を融かすことも可能である。【００１９】    なお、雨が降るさいの対応と��ては、収納庫６を耐水性のものとする必要がでてくるが、収納庫６の上側に位置するところに庇や屋根などを設置しても良いものである。
【符号の説明】
【００２０】１．  壁部材
２．  梁部材
３．  給水管
４．  床
５．  散水口
６．  収納庫
２０５  配管（ヒータユニット）
【要約】
【課題】生活必需品以外で、日常、必要でない日用品などの荷物については、収納する場所に困っていた。この問題を解決するために近年では有料のトランクルームなどが出回ってきている。しかしながら、有料のトランクルームでは費用も掛かるので、費用が掛からない収納先を確保する必要がある。
【解決手段】発明は、上記した問題を解決するために、建物の屋上に収納庫を設置する収納構造であって、前記収納庫は、前記屋上の床に立設される壁部材に沿って配置されるととともに、この壁部材は、ほぼ並行状態で複数設置されるとともに、これらの複数の壁部材は、それぞれ複数の梁部材で連結されており、前記、壁部材及び梁部材には給水設備に連結された給水管と、核給水管に取り付けられる散水口とが設けたことを特徴とする。
【選択図】図２【図１】
0006818388.tif 000002
【図２】
0006818388.tif 000003
【図３】
0006818388.tif 000004